(57)【要約】【課題】従来の棒状化粧品収納容器に油状膜を作成するには、手間がかかると共に部材の内部に塗ることが難しく、塗りむらが生じてしまうものであり、また溶液内の油と溶剤の配合比率が変化してしまい、それによって部材に付く油の量が変化してしまい、一定量で均一にならないという課題があった。【解決手段】本発明は密閉された容器あるいは袋内に棒状化粧品収納容器を構成する複数個の部材を入れ、その容器あるいは袋内に溶剤で希釈されたシリコンオイル等の油状物を噴霧し、その内部の棒状化粧品収納容器を構成する部材を攪拌することで油状膜を作成するという手段を用いている。【選択図】        図１
2004167170.tif 000002
【特許請求の範囲】
【請求項１】
密閉された容器あるいは袋内に棒状化粧品収納容器を構成する複数個の部材を入れ、その容器あるいは袋内に溶剤で希釈されたシリコンオイル等の油状物を噴霧し、その内部の棒状化粧品収納容器を構成する部材を攪拌することを特徴とする棒状化粧品収納容器を構成する部材に油状膜を作成する方法。
【発明の詳細な説明】
【０００１】
【発明が属する技術分野】
本発明は口紅などの棒状化粧品収納容器のを構成する部材にシリコンオイルなどのいわゆる油状膜を作成する方法に関するものである。
【０００２】
【従来の技術】
従来の棒状化粧品収納容器は、下部に軸心方向の切り割り溝が形成された筒状の内筒部材と、内部に螺旋溝が形成されこの内筒部材の下部に回動可能に形成されたラセン部材と、内筒部材内に上下移動可能に形成され内筒部材の切り割り溝及びラセン部材の螺旋溝と係合する係合ピンが形成され棒状化粧品を保持する皿部材と、ラセン部材の外周を覆う袴部材と、袴部材に着脱自在に嵌合され内筒部材の上部を覆う蓋とから構成されている。
【０００３】
そしてこのような棒状化粧品収納容器に口紅等の化粧料を充填する際には、内筒部材の上端部に充填用蓋をかぶせ、容器を逆さまにし、袴部材の底に開けられた穴より溶融した化粧料を流し込み、容器内で冷却し、固形化させ、そののち充填用蓋を外し棒状化粧品として完成するものである。
【０００４】
このような棒状化粧品収納容器は内筒部材と袴部材を回動させることによって棒状化粧品の繰り出しを行うものであるが、その繰り出しトルクはスムーズなものでなければならない。また充填された化粧料は冷却、固形化する際にキズ、ゆがみ等が発生したりせず、外観がきれいなものでなければならない。これらの理由から棒状化粧品収納容器を構成する部材の内筒部材、ラセン部材、充填用蓋、皿部材には容器を組み立てる前にシリコンオイル、ワセリン、パラフィンのような潤滑、あるいは離型を目的にしたいわゆる油状物を一定量塗って油状膜を形成しておく必要がある。
【０００５】
その塗り方として従来からは油状物を直接刷毛塗りする、あるいは油状物を溶剤で希釈した溶液に部材を浸す、という方法が使用されていた。
【０００６】
【発明が解決しようとする課題】
このような従来の油状膜を作成する方法では、刷毛塗りの場合には手間がかかると共に部材の内部に塗ることが難しく、塗りむらが生じてしまうものであるという欠点があった。また油を溶剤で希釈した溶液に部材を浸すという方法では溶剤が蒸発するのにつれて、あるいは部材を溶液に浸すたびに溶液内の油と溶剤の配合比率が変化してしまい、それによって部材に付く油の量が変化してしまうという欠点があった。
【０００７】
本発明は以上のような従来の欠点に鑑み、棒状化粧品収納容器を構成する部材に安定して均一に油状膜を作成する方法を提供することを目的としている。
【０００８】
【課題を解決するための手段】
上記課題を解決するため、本発明は密閉された容器あるいは袋内に棒状化粧品収納容器を構成する複数個の部材を入れ、その容器あるいは袋内に溶剤で希釈されたシリコンオイル等の油状物を噴霧し、その内部の棒状化粧品収納容器を構成する部材を攪拌することで油状膜を作成するという手段を用いている。
【０００９】
【発明の実施の形態】
棒状化粧品収納容器を構成する部材に油状膜を作成するという目的を密閉された容器あるいは袋内に棒状化粧品収納容器を構成する複数個の部材を入れ、その容器あるいは袋内に溶剤で希釈されたシリコンオイル等の油状物を噴霧し、その内部の棒状化粧品収納容器を構成する部材を攪拌するという手段で実現した。
【００１０】
【実施例】
以下、図面に示す実施例により本発明を詳細に説明する。
図１ないし図５に示す発明の第１の実施例において、図１は本発明の棒状化粧品収納容器を構成する部材を使用した棒状化粧品収納容器を示すもので、この棒状化粧品収納容器１は下部に軸心方向の切り割り溝２が形成された筒状の内筒部材３と、内部に螺旋溝４が形成されこの内筒部材３の下部に回動可能に形成されたラセン部材５と、内筒部材３内に上下移動可能に形成され内筒部材３の切り割り溝２及びラセン部材５の螺旋溝４と係合する係合ピン６が形成され棒状化粧品を保持する皿部材７と、ラセン部材５の外周を覆う袴部材８と、袴部材８に着脱自在に嵌合され内筒部材３の上部を覆う蓋９とから構成されている。さらに化粧料充填時にだけ使用される充填用蓋１０が内筒部材３の上部に嵌合されている。なお、この充填用蓋１０は化粧料が充填された後で、内筒部材３より外される物である。
【００１１】
これらの部材の、内筒部材３、ラセン部材５、皿部材７、充填用蓋１０が主に本発明の油状膜１８を作成する対象となる対象部材１１で、油状膜１８はこれらの部材すべて、あるいは一部に作成され、その部材の内外面をすべて覆うものである。
【００１２】
これらの対象部材１１は各部材ごとに複数個がビニール袋のような気体が通過しない収納袋１２に収納され、その収納袋１２の口元は密閉できるようにする。本説明ではその手段の一つとして密閉栓１３が取り付けられるようにしたもので、この密閉栓１３を開閉することによって収納袋１２内を密閉状態にすることができる。
【００１３】
１４は油状物の塗布に使用する塗布ガンで、この塗布ガン１４は一般的な塗装に使用されるもので、圧縮空気を使用して供給される塗料を霧化して吹きつけを行うタイプのものである。
【００１４】
１５は油状物を溶剤で希釈した前記塗布ガン１４によって塗布される油状物溶液で、この油状物溶液１５はシリコンオイル、ワセリン、パラフィンのような油状物が潤滑、あるいは離型といったその目的によって選択、使用され、エタノール、アセトン、トルエンのようなそれぞれを希釈することのできる溶剤によって指定濃度に希釈されている。この油状物溶液１５はほぼ密閉状態の塗料タンクなどの容器に収納されている。
【００１５】
前記のように対象部材１１を収納した収納袋１２は、その密閉栓１３を開け、その内部へ塗布ガン１４により霧化された油状物溶液１５が所定量だけ吹き込まれ、その後密閉栓１３を閉じることにより収納袋１２は内部に霧化油状物１６が満たされた状態で密閉される。
【００１６】
次に収納袋１２内の対象部材１１は攪拌装置１７によって傷が付かないようにゆっくりと攪拌される。その一つの方法としてモーターなどによってゆっくり回転する斜めに設置したターンテーブルに収納袋１２を固定する方法がとられる。それによって収納袋１２は常に天地が入れ替わることになり、内部に収納された対象部材１１も収納袋１２内でゆっくり攪拌される。
【００１７】
この状態のまま１０分から２０分程度の所定時間攪拌されることで、収納袋１２内に充満した霧化油状物１６が対象部材１１の内面も含めた隅々まで行き渡り一連の棒状化粧品収納容器を構成する部材に油状膜１８を作成する工程が終了し、対象部材１１は収納袋１２より取り出され、棒状化粧品収納容器１へと組み立てられる。
【００１８】
なを、以上の説明では収納袋１２は袋である物について行ったが、これに限らず、気体が通過しない状態で密閉できる物なら何でも良く、例えば箱であっても差し支えない。
【００１９】
さらに塗布ガン１４もこの説明に限らず、油状物溶液１５が収納された缶入りのスプレーであってもよいし、攪拌装置１７も対象部材１１を攪拌できる物なら何でも良い。
【００２０】
【発明の効果】
本発明は以上説明したように構成されているので、以下に記載されるような効果を奏する。
【００２１】
対象部材に油状物を塗るのに手間がかかるということがなく、部材の内部にも塗ることができると共に塗りむらが生じるということが無く、隅々まで均一に油状膜を作成することができる。
【００２２】
また溶剤が蒸発するのにつれた希釈した溶液の油の濃度が変わってしまったり、あるいは部材を溶液に浸すたびに溶液内の油と溶剤の配合比率が変化してしまうということが無く、それによって部材に安定して油状膜を作成することができる。
【図面の簡単な説明】
【図１】発明の対象部材を使用した棒状化粧品収納容器の断面図である。
【図２】発明の収納袋に対象部材を入れた説明図である。
【図３】発明の収納袋に密閉栓を付けた説明図である。
【図４】発明の収納袋に油状物溶液を塗布する説明図である。
【図５】発明の対象部材を攪拌装置で攪拌する説明図である。
【符号の説明】
１    棒状化粧品収納容器
２    切り割り溝
３    内筒部材
４    螺旋溝
５    ラセン部材
６    係合ピン
７    皿部材
８    袴部材
９    蓋
１０    充填用蓋
１１    対象部材
１２    収納袋
１３    密閉栓
１４    塗布ガン
１５    油状物溶液
１６    霧化油状物
１７    攪拌装置
１８    油状膜
【図１】
2004167170.tif 000003
【図２】
2004167170.tif 000004
【図３】
2004167170.tif 000005
【図４】
2004167170.tif 000006
【図５】
2004167170.tif 000007